(57)【要約】      （修正有）【課題】的確にスイングを分析して、スイング技術向上のための評価を行うことができるスイング評価装置を提供する。【解決手段】打球具を用いてボールを打球するスイング練習を行うときに、練習者の身体の部位の姿勢変化を予め設定された判定基準と比較して評価を行うスイング評価装置であって、練習者の身体の部位の姿勢変化を検出する加速度センサ１０と、練習者のスイングした打球具がボールに衝突するインパクト音を検出するマイクロフォン１１と、加速度センサ１０により検出された検出情報のうち、マイクロフォン１１がインパクト音を検出した時から予め設定された時間まで遡った所定時間の間の検出情報を記憶するデータ記憶部３３と、スイング評価の比較対象とする判定基準情報として設定し記憶するメモリ２３と、データ記憶部３３に記憶された検出情報を、メモリ２３の判定基準情報と比較してスイング評価をする演算処理部３５とを備えて構成される。【選択図】図２
2009279126.tif 000002
【特許請求の範囲】
【請求項１】
打球具を用いてボールを打球するスイング練習を行うときに、練習者の身体の部位の姿勢変化を予め設定された判定基準と比較して評価を行うスイング評価装置であって、
練習者の身体の部位の姿勢変化を検出する検出部と、
練習者のスイングした打球具がボールに衝突するインパクト音を検出する集音部と、
前記検出部により検出された検出情報のうち、前記集音部がインパクト音を検出した時から予め設定された時間まで遡った所定時間の間の検出情報を記憶する第１記憶部と、
前記第１記憶部に記憶された検出情報を、スイング評価の比較対象とする判定基準情報として設定し記憶する第２記憶部と、
前記検出部により新たに検出されて前記第１記憶部に記憶された検出情報を、前記第２記憶部に予め記憶された判定基準情報と比較してスイング評価をする演算処理部とを備えて構成されることを特徴とするスイング評価装置。
【請求項２】
前記第１記憶部が、検出部により連続的に検出される検出情報のうち、予め設定された前記所定時間分の最新の検出情報を記憶するとともに、前記所定時間以前の検出情報を随時消去しながら前記最新の検出情報に更新をして、且つ、前記集音部がインパクト音を検出したときに更新記録を止めることにより、少なくともインパクト音検出時から前記所定時間遡った時間までの間の検出情報の記憶を残すように構成されたことを特徴とする請求項１に記載のスイング評価装置。
【請求項３】
前記所定時間とは、少なくとも練習者が打球具のスイングを開始した時から打球具がボールに衝突するインパクト音検出時までの時間に相当する時間であることを特徴とする請求項１または２に記載のスイング評価装置。
【請求項４】
前記検出部が、練習対象のスイングに基づく練習者の頭部の姿勢変化を検出することを特徴とする請求項１から３のいずれかに記載のスイング評価装置。
【請求項５】
前記検出部により検出される姿勢変化は、練習対象のスイングに基づいて変化する練習者の身体の部位の加速度であることを特徴とする請求項１から４のいずれかに記載のスイング評価装置。
【請求項６】
前記検出部が、少なくとも第１の方向および第２の方向の前記部位の姿勢変化を検出することを特徴とする請求項１から５のいずれかに記載のスイング評価装置。
【請求項７】
前記第１の方向とは地面に対して水平方向であり、前記第２の方向とは地面に対して垂直方向であることを特徴とする請求項６に記載のスイング評価装置。
【請求項８】
前記演算処理部によるスイング評価の結果を表示する表示部を備えて構成されることを特徴とする請求項１から７のいずれかに記載のスイング評価装置。
【発明の詳細な説明】
【技術分野】
【０００１】
ゴルフ、テニス、野球などのスイングを行うスポーツにおいて、練習者が正しいスイングを習得するための評価を行うスイング評価装置に関する。
【背景技術】
【０００２】
近年、各種スポーツにおけるスイングの解析、特にゴルフのスイングを解析する技術が進歩しており、練習者（ゴルフプレイヤ）が独力でより良いスイングを習得するための装置等が種々提案されている。例えば、特許文献１には、スイング中のインパクトの前後におけるゴルフプレイヤの頭部の動き（ヘッドアップ）を検知して、ヘッドアップが発生したときには即座にプレイヤに注意を喚起することにより、プレイヤ自身では認識しづらいヘッドアップの発生を解消して正しいスイングを習得する技術が開示されている。
【特許文献１】特開平６−１５０２１号公報
【発明の開示】
【発明が解決しようとする課題】
【０００３】
しかしながら、上記のような装置では、インパクト検出時までのゴルフプレイヤの頭部の動きに着目してヘッドアップがあったか否かを判断するのみであり、スイング全体のプロセスに基づいて総合的にスイングの良否を判断することができないという問題がある。また、ゴルフ上達のためには、プロゴルフプレイヤのスイングを模範にして同様なスイングを身に付けるための練習をすることも必要ではあるが、まずはゴルフプレイヤごとの体型、年齢、性別等の個人差などを加味した上で、プレイヤごとのスイングにおける癖や、スイングごとのフォームのばらつき等を改善して各ゴルフプレイヤに最も合った適正なスイングを習得することが重要であり、このように各プレイヤの個人差などを考慮した上でスイング評価を行うことができる技術が要望されている。
【０００４】
本発明は、このような課題に鑑みてなされたものであり、的確にスイングを分析して、スイング技術向上のための評価を行うことができるスイング評価装置を提供することを目的とする。
【課題を解決するための手段】
【０００５】
前記課題を解決するために本発明に係るスイング評価装置は、打球具を用いてボールを打球するスイング練習を行うときに、練習者の身体の部位の姿勢変化を予め設定された判定基準と比較して評価を行うスイング評価装置（例えば、実施形態におけるゴルフスイング評価装置１）であって、練習者の身体の部位の姿勢変化を検出する検出部（例えば、実施形態における加速度センサ１０）と、練習者のスイングした打球具がボールに衝突するインパクト音を検出する集音部（例えば、実施形態におけるマイクロフォン１１）と、検出部により検出された検出情報のうち、集音部がインパクト音を検出した時から予め設定された時間まで遡った所定時間の間の検出情報を記憶する第１記憶部（例えば、実施形態におけるデータ記憶部３３）と、第１記憶部に記憶された検出情報を、スイング評価の比較対象とする判定基準情報として設定し記憶する第２記憶部（例えば、実施形態におけるメモリ２３）と、検出部により新たに検出されて第１記憶部に記憶された検出情報を、第２記憶部に予め記憶された判定基準情報と比較してスイング評価をする演算処理部とを備えて構成される。
【０００６】
上記スイング評価装置において、第１記憶部が、検出部により連続的に検出される検出情報のうち、予め設定された所定時間分の最新の検出情報を記憶するとともに、所定時間以前の検出情報を随時消去しながら最新の検出情報に更新をして、且つ、集音部がインパクト音を検出したときに更新記録を止めることにより、少なくともインパクト音検出時から所定時間遡った時間までの間の検出情報の記憶を残すように構成されることが好ましい。
【０００７】
ここで、所定時間は、少なくとも練習者が打球具のスイングを開始した時から打球具がボールに衝突するインパクト音検出時までの時間に相当する時間であることが好ましい。
【０００８】
また、検出部が、練習対象のスイングに基づく練習者の頭部の姿勢変化を検出することが好ましい。
【０００９】
さらに、検出部により検出される姿勢変化は、練習対象のスイングに基づいて変化する練習者の身体の部位の加速度であることが好ましい。
【００１０】
また、検出部が、少なくとも第１の方向および第２の方向の練習者の身体の部位の姿勢変化を検出することが好ましい。
【００１１】
さらに、姿勢変化のうち、第１の方向とは地面に対して水平方向であり、第２の方向とは地面に対して垂直方向であることが好ましい。
【００１２】
また、演算処理部によるスイング評価の結果を表示する表示部（例えば、実施形態における判定表示部５０）を備えて構成されることが好ましい。
【発明の効果】
【００１３】
本発明に関するスイング評価装置によれば、練習者の身体の部位の姿勢変化からスイング全体のプロセスに基づいて判定基準のスイング（自己のスイングや上級者のスイング等）と比較評価することにより、スイングの欠点（スイングの癖やスイングフォームのばらつき等）を練習者は簡単に知ることができ、従来の装置に比べて練習効果を上げることができる。
【００１４】
また、第１記憶部が、検出部から連続的に検出される検出情報のうち所定時間以前の検出情報を随時消去しながら所定時間分の最新の検出情報に更新して、且つインパクト音検出により更新記録を止めてインパクト音検出時から所定時間遡った時間までの間の検出情報の記憶を残すように構成すると、記憶するデータ量をスイング評価において必要最小量のデータ量とすることができるため、第１記憶部（記録媒体）は少量のメモリ容量でよく、ひいては装置全体を小型コンパクト化することができる。
【発明を実施するための最良の形態】
【００１５】
以下、図面を参照して本発明の好ましい実施形態について説明する。図１は本発明の一実施形態に係るゴルフスイング評価装置の斜視図であり、図２はゴルフスイング評価装置のブロック図であり、図３はゴルフスイング評価装置をゴルフキャップに装着した状態を示す図である。
【００１６】
ゴルフスイング評価装置１は、略矩形箱状に形成されたケース本体２と、このケース本体２の背面部に設けられた装着クリップ３と、スイング時におけるゴルフプレイヤ（以下、「プレイヤ」と称する）の頭部の加速度を検出する加速度センサ１０と、クラブヘッドがボールに衝突する際のインパクト音を集音するマイクロフォン１１と、マイクロＣＰＵ等を備えた解析ユニット２０と、判定レベル設定スイッチ４０および測定開始スイッチ４１のスイッチ類と、判定結果をＬＥＤ表示する判定表示部５０とを主体に構成される。
【００１７】
ケース本体２は、図１に示すように、合成樹脂材料から横長の略矩形箱状に形成されている。このケース本体２は、図３に示すように、装着クリップ３によりゴルフキャップ（帽子）５の鍔部６に着脱自在に構成されている。このとき、ゴルフキャップ５の鍔部６は一般に所定角度の傾斜（例えば、水平方向に対して３０°の傾斜）がつけられて形成されるため、このケース本体２は鍔部６の傾斜に合わせて所定角度だけ傾斜した状態で鍔部６に取り付けられる。
【００１８】
加速度センサ１０は、予め定められた２軸方向の移動体（本実施形態では、プレイヤの頭部）の加速度を検出するセンサであり、プレイヤの頭部に生ずる加速度を電気的なアナログ信号（電圧信号）に変換する。この加速度センサ１０は、ゴルフキャップ５の鍔部６に装着された状態で地面に対して水平方向および垂直方向の２軸の加速度を検出可能なように、鍔部６の傾斜に合わせケース本体１の内部基板に対して所定角度傾斜させて（地面に対して水平になるように）取り付けられている。このため、加速度センサ１０は、プレイヤの頭部に生ずる加速度として、地面と水平方向の加速度と、地面と垂直方向の加速度との２つの加速度を検出することができる。そして、加速度センサ１０はプレイヤの頭部に生ずる加速度に応じたアナログ信号を電気的に接続された解析ユニット２０に出力する。
【００１９】
マイクロフォン１１は、クラブヘッドがボールに衝突する際のインパクト音を集音して、この音声信号を電気的に接続された解析ユニット２０に出力する。このマイクロフォン１１はケース本体２内に内蔵されており、ケース本体２に形成された集音穴４（図１参照）を介してインパクト音を捉えるようにしている。このとき、インパクト音が発生するティー（図示しない）近傍と、集音部（マイクロフォン１１）との間には人間の背丈ほどの距離が隔てられているため、音波の伝播速度によってインパクト音の発生源から発された音波がマイクロフォン１１に達するまでに遅延が生じるが、この遅延分は後述する解析ユニット２０において適時修正される。
【００２０】
解析ユニット２０は、図２に示すように、センサ増幅器２１、マイク増幅器２２、メモリ２３および中央演算装置３０を有して構成される。センサ増幅器２１は、加速度センサ１０から出力される電気信号を増幅させる。ここで、加速度センサ１０では、プレイヤの頭部の動きと重力加速度とを含んだ電気信号を出力するが、重力加速度は時間に対して一定の電圧、すなわち直流で出力されるため、センサ増幅器２１の入力段に結合コンデンサ（図示しない）を接続してこの直流成分をカットすることにより、重力加速度を排除したプレイヤの頭部の動きのみに対応した電気信号とすることができる。
【００２１】
マイク増幅器２２は、マイクロフォン１１から出力される音声信号を増幅させる。また、マイク増幅器２２はインパクト音以外の周波数成分をカットするフィルタ機能を有している。さらに、インパクト音という周囲音よりひときわ大きい音のみに感応させるため、増幅された音声信号が予め設定された所定の電圧値を超えたときにのみ、パルス状の信号を中央演算装置３０に出力してインパクトのタイミングが検知されるようマイク増幅器２２は調整されている。
【００２２】
中央演算装置（マイクロＣＰＵ）３０は、制御部３１、アナログディジタル変換部（Ａ／Ｄ変換部）３２、データ記憶部３３、マイクロフォン入力部３４、演算処理部３５および出力部３６を有して構成される。
【００２３】
制御部３１は、測定開始スイッチ４１が予め設定された所定時間押されることにより加速度の測定を開始するように作動を制御する。ここで、測定開始スイッチ４１が押された場合に即時に計測を開始しないのは、測定開始スイッチ４１の誤操作防止のためである。
【００２４】
Ａ／Ｄ変換部３２は、計測開始により加速度センサ１０から出力されてセンサ増幅器２１により増幅されたアナログの電圧信号をディジタル信号に変換する。このディジタル値に変換された電圧信号はデータ記憶部３３に記憶される。
【００２５】
データ記憶部３３は、Ａ／Ｄ変換部３２によりディジタル値に変換された電圧信号（時系列的な加速度変動としてのスイングデータであり、以降の説明では「加速度データ」と称する）を記憶する。ところで、プレイヤがダウンスイングを開始してからインパクトの瞬間までに要する時間は０．３秒程度であるのが一般的である。したがって、加速度データをデータ記憶部３３に記憶させるデータ量としては、マイクロフォン１１によりインパクト音が検出されたときから約０．３秒遡ったとき（ダウンスイング開始時に相当）までのデータとしている。このようにデータ記憶部３３は、加速度センサ１０から連続的に出力される検出情報を予め設定されたデータ量分（本実施形態では、約０．３秒分）の最新情報を記憶するとともにそれ以前の情報を消去しながら連続的に更新して、最終的にインパクト検出時から遡って約０．３秒間の検出情報を記憶することにより記憶するデータ量を必要最小限にすることができるため、装置全体を小型コンパクト化することが可能になる。したがって、上述したように、ゴルフキャップ５の鍔部６に取り付けることが可能な利便性のある装置とすることができる。
【００２６】
マイクロフォン入力部３４は、マイクロフォン１１によって検出された音声信号（インパクトのタイミング信号）を受信する。マイクロフォン入力部３４がタイミング信号を受信すると、データ記憶部３３は、その直後ないし微小時間経過後に加速度データの記録を停止する。この結果、ダウンスイング開始からインパクトの瞬間もしくは微小時間経過後までの加速度データがデータ記憶部３３に記憶されることになる。一方、測定したスイングにおいて、ベストスイング等の加速度データをメモリ２３に記憶させて、スイング評価におけるリファレンス（評価基準）として設定することができる。このリファレンスの設定は、スイング完了後、測定開始スイッチ４１を長押し（例えば３秒間）することによりリファレンスデータ（ベストスイング時等の加速度データ）を簡単にメモリ２３に記憶させることができる。メモリ２３は電源を切ってからもこのリファレンスデータが残せるよう不揮発性メモリやバッテリ等を使用してバックアップができる機能を有しているものが好ましい。
【００２７】
演算処理部３５は、スイング計測後にデータ記憶部３３に記憶された評価対象の加速度データを読み出して、この加速度データとメモリ２３に記憶されたリファレンスデータとを比較して、プレイヤの頭部の動きを解析する。このとき、スイングの評価は、判定レベル設定スイッチ４０により予め設定された判定レベルに基づいて行われる。解析方法には加速度データを二重積分することにより位置の変位を算出する方法や、加速度そのものの量により判別する方法等、様々な手法が考えられるが、判定したい目的によって最も適した手法を採用することが好ましい。本実施例では、スイング中にプレイヤの頭部にかかる加速度そのものの量の大小に着目して解析アルゴリズムをプログラミングしている。また、上述したように加速度センサ１０は２軸のものを採用しているため、演算処理部３５は地面に対して水平方向および垂直方向の加速度に分解して解析することができる。なお、判定レベル設定スイッチ４０を調整することにより、上記の判定レベルの基準は可変となっており、あらゆる習熟度のプレイヤに対応することができるようになっている。
【００２８】
出力部３６は、上記解析結果（スイング評価）に基づいて、電気的に接続された判定表示部５０に信号を出力する。判定表示部５０は、例えばＬＥＤ（発光ダイオード）からなる表示器として構成されており、出力部３６からの信号に基づいて、上記解析結果を表示する。この判定表示部５０は、他の表示機器などにより構成することもできるが、本実施形態においては、簡便性および低コスト化を図るため、ＬＥＤを使用した簡易型表示器としている。
【００２９】
次に、本実施形態に係るゴルフスイング評価装置１の動作について図４から図７を参照して説明する。例えば、ゴルフ練習場においてプレイヤは、まずゴルフキャップ５を被り、このゴルフキャップ５の鍔部６に本ゴルフスイング評価装置１を取り付ける。そして、測定開始スイッチ４１を所定時間押した後、ゴルフクラブを把持してスイングを行い、ボールを打撃する。これにより加速度センサ１０からプレイヤの頭部の動きに応じた電圧信号（加速度信号）が解析ユニット２０に出力されるとともに、マイクロフォン１１がインパクト音を捉えて音声信号を解析ユニット２０に出力する。これらの出力信号に基づいて解析ユニット２０は、インパクトの瞬間から遡って約０．３秒間の加速度データを記憶する。
【００３０】
ここで、このように解析ユニット２０に記憶される加速度データの一例として、異なる被計測者Ａ，Ｂの頭部の動きに基づく加速度データの波形をグラフ化したものを図４および５にそれぞれ示す。図４は、ゴルフ中級者である被計測者Ａの加速度データ(水平方向成分)の波形を示すグラフであり、図５は、ゴルフ上級者である被計測者Ｂの加速度データ(水平方向成分)の波形を示すグラフである。また、図４および図５において、縦軸は加速度（Ａ／Ｄ変換値）を示し、横軸は時間軸であり１０ｍｓｅｃ刻みの目盛りにおいてインパクトの瞬間から０．３０ｓｅｃ（１０ｍｓｅｃ×３０データ）遡った時間と、インパクト後０．０２ｓｅｃ（１０ｍｓｅｃ×２データ）の時間とを合わせた０．３２ｓｅｃの時間を示している。なお、図４および図５では水平方向の加速度データのみが示され、垂直方向については図示および説明は省略する。
【００３１】
図４および図５の加速度データを比較すると、被計測者によって計測される加速度（波形）の傾向が異なることが分かる。これは、各プレイヤのスイングにおけるフォームがそれぞれ異なることに起因して生じるものであり、加速度（Ａ／Ｄ変換値）の大小のみを絶対的に評価していたのでは、スイングのフォームがそれぞれ異なる各プレイヤに対して適切なスイングの評価を行うことが困難であることを示している。そこで、本ゴルフスイング評価装置１では、スイングにおける加速度の大小のみで絶対的に評価するのではなく、計測したスイングをプレイヤ自身のベストスイング等と比較して相対的に評価を行うこととしている。これによれば、プレイヤのベストスイング時の加速度データを解析ユニット２０のメモリ２３に記憶させてスイング評価におけるリファレンス（判定基準）として設定することにより、その後に測定される各スイングがこのリファレンスデータと比較評価され、各プレイヤに合った正しいスイングを習得することができる。
【００３２】
この評価方法を被計測者Ａ，Ｂの加速度データに基づいて図６および図７を参照しながら具体的に説明する。ここでは、前述した図４および図５の加速度データをそれぞれ被計測者Ａ，Ｂのリファレンスデータ（例えば、被計測者Ａ，Ｂのベストスイング時の加速度データ）としてスイング評価を行った場合としている。
【００３３】
なお、図６では、四角印が、被計測者Ａのベストスイング時における加速度データを示し、三角印が、被計測者Ａの評価対象のスイングの加速度データを示し、丸印が、評価対象のスイングの加速度データとベストスイング時での加速度データとの差分値を示している。図７でも、同様に、四角印が、被計測者Ｂのベストスイング時における加速度データ（リファレンスデータ）を示し、三角印が、被計測者Ｂの評価対称のスイングの加速度データを示し、丸印が、評価対象のスイングの加速度データとベストスイング時での加速度データとの差分値を示している。また、図６および図７において、縦軸および横軸は図４等と同様に加速度（Ａ／Ｄ変換値）および時間を示している。
【００３４】
図６および図７に示されるように、同様のスイングを行っていてもスイング毎に生じる各プレイヤの頭部の動きにはそれぞれ違いが生じていることが分かる。まず、図６で示す被計測者Ａのスイングの差分値（丸印）が、被計測者Ａのスイングにおけるベストスイングに対するフォームのブレの量と考えられ、このブレの量を分析することにより被計測者Ａのスイング評価を行う。差分値（ブレの量）が小さいほど目標とするベストスイング時のフォームに近いスイングをしていることとなり、差分値（ブレの量）が大きいほどベストスイング時のフォームからずれたスイングをしていることに基づくものである。なお、この評価の際、時間軸における計測誤差を吸収するために、リファレンスデータの任意の時間に対してその前後の時間の計測データからも差分値を計算して、これらのデータの最小値を差分値のデータとすることで、時間軸における計測誤差を低減させている。
【００３５】
また、同様にして、図７で示す被計測者Ｂのスイングの差分値（丸印）が、被計測者Ｂのスイングにおけるベストスイングに対するフォームのブレ量と考えられ、このブレの量を分析することにより被計測者Ｂのスイング評価を行う。
【００３６】
図６および図７に示されるように、中級者である被計測者Ａのブレの量は比較的大きいため、ベストスイング時のフォームと比較してブレが大きいとともにスイング毎のばらつきも大きく不安定なスイングであると評価される。これに対して、上級者である被計測者Ｂのブレの量は比較的小さいため、ベストスイング時のフォームに近い良いスイングが行われており安定したスイングであると評価することができる（より確実にボールを飛ばせることが予測できる）。このようなスイング評価が予め設定された判定レベルに応じて解析ユニット２０（中央演算部３０）において行われ、この評価結果が判定表示部５０により表示される。そして、プレイヤはこの表示結果を見てゴルフ上達度を自己診断することができ、自分に合った正しいゴルフスイングを習得することが可能となる。
【００３７】
また、本装置においては、プレイヤ自身のベストスイングをリファレンスデータとするばかりではなく、プレイヤよりもゴルフ上級者のスイングをリファレンスデータとして記憶させスイングの参考とする等、種々の活用例が考えられ、より柔軟に活用することができるものである。
【００３８】
これまで本発明の好ましい実施形態について説明してきたが、本発明の範囲は上述の実施形態に示されたものに限定されない。例えば、上述の実施形態では、ゴルフスイング評価装置１をプレイヤの頭部（ゴルフキャップ５の鍔部６）に取り付けた例について説明したが、本発明の範囲はこれに限定されるものではなく、プレイヤの身体の部位であればいかなる箇所（例えば、腕、肩など）であっても適用することができ、身体の各部位の動きに基づくスイング評価を行うことができる。
【００３９】
また、上述の実施形態においては、加速度センサ１０を用いて出力される加速度データに基づいてスイング評価を行った例を示しているが、本発明の範囲はこれに限定されるものではなく、所定の軸周りの角速度を検出可能な角速度センサ等を用いて構成してもよい。これによれば、スイングにおける腕や腰の動き（回転運動）を角速度として捉えてスイング評価を行うことができる。
【００４０】
さらに、上述の実施形態においては、スイング評価装置をゴルフのスイング評価（ゴルフスイング評価装置）に適用させた例を示しているが、本発明の範囲はこれに限定されるものではなく、テニスや野球などのあらゆるスポーツのスイング評価に適用することが可能である。
【００４１】
また、上述の実施形態においては、判定表示部５０はＬＥＤ（発光ダイオード）を使用した表示器から構成されるものであったが、本発明の範囲はこれに限定されるものではなく、液晶表示器（ＬＣＤ）等により構成してもよい。これによれば、上記判定結果をスイングの良否の結果とともに加速度データの波形を液晶表示器に表示させることができるため、利用者（プレイヤ）にとってさらに利便性のある装置とすることができる。
【００４２】
さらに、本装置にＵＳＢインターフェースやＵＳＢ端子などを設けて、パソコン等とデータ送受信可能に構成してもよいものである。また、無線ＬＡＮインターフェースなどを設けることにより、無線の受信器を接続した表示器やパソコン等でデータ受信可能に構成してもよい。これによれば、判定結果などをパソコン等に出力してデータ収集や解析をしたり、判定基準などの書き換えを行ったりして、利用者自身がこれらのデータ管理を容易に行うことができるため、さらに利便性のある装置とすることが可能になる。
【図面の簡単な説明】
【００４３】
【図１】本発明の一実施形態に係るゴルフスイング評価装置を示す斜視図である。
【図２】上記評価装置の構成を示すブロック図である。
【図３】上記評価装置がゴルフキャップに取り付けられた状態を示し、（Ａ）は正面図であり、（Ｂ）は側面図である。
【図４】上記評価装置を用いて計測した被計測者Ａの加速度データを示すグラフである。
【図５】上記評価装置を用いて計測した被計測者Ｂの加速度データを示すグラフである。
【図６】上記評価装置における被計測者Ａのスイング評価を説明するためのグラフである。
【図７】上記評価装置における被計測者Ｂのスイング評価を説明するためのグラフである。
【符号の説明】
【００４４】
１  ゴルフスイング評価装置（スイング評価装置）
２  ケース本体
３  装着クリップ
５  ゴルフキャップ
６  鍔部
１０  加速度センサ（検出部）
１１  マイクロフォン（集音部）
２０  解析ユニット
２３  メモリ（第２記憶部）
３０  中央演算装置
３３  データ記憶部（第１記憶部）
３５  演算処理部
４０  判定レベル設定スイッチ
４１  測定開始スイッチ
５０  判定表示部（表示部）
【図１】
2009279126.tif 000003
【図２】
2009279126.tif 000004
【図３】
2009279126.tif 000005
【図４】
2009279126.tif 000006
【図５】
2009279126.tif 000007
【図６】
2009279126.tif 000008
【図７】
2009279126.tif 000009